(57)【要約】【課題】複数のＨＤＭＩ信号の受信側における切り替え時間の短縮を図ることが可能な電子機器、通信システム、通信方法、およびプログラムを提供する。【解決手段】受信部４１０は、複数のマルチメディア信号を受信する複数の受信器４３１−０〜４３１−k-1と、複数の受信器で受信された受信信号の認証を行う複数の認証回路４３１−０〜４３１−k-1と、認証回路で認証された信号を後段の処理部に送信する少なくとも一つの送信器４３５と、受信信号を複数の認証回路に供給する第１のマルチプレクサ４３４と、複数の認証回路の出力信号を送信器に供給する第２のマルチプレクサ４３６と、を含み、複数の認証回路は、１つの認証回路は、受信器で受信され現在選択されているマルチメディア信号の認証を行い、残りの認証回路は上記選択されているマルチメディア信号以外の非選択マルチメディア信号に対してバックグラウンドで認証を行う。【選択図】図５
2011010032.tif 000002
【特許請求の範囲】
【請求項１】
少なくとも非圧縮の映像と音声データ、並びに認証情報を含んで伝送される複数のマルチメディア信号を受信する受信部を有し、
上記受信部は、
上記複数のマルチメディア信号を受信する複数の受信器と、
上記複数の受信器で受信された受信信号の認証を行う複数の認証回路と、
上記認証回路で認証された信号を後段の処理部に送信する少なくとも一つの送信器と、
上記複数の受信器で受信された受信信号を上記複数の認証回路に選択的に供給する第１のマルチプレクサと、
上記複数の認証回路の出力信号を上記送信器に選択的に供給する第２のマルチプレクサと、を含む
電子機器。
【請求項２】
上記複数の認証回路は、
１つの認証回路は、上記受信器で受信され、現在選択されているマルチメディア信号の認証を行い、残りの認証回路は上記選択されているマルチメディア信号以外の非選択マルチメディア信号に対してバックグラウンドで認証を行う
請求項１記載の電子機器。
【請求項３】
上記受信部は、
上記各受信器と第１のマルチプレクサとの間に当該受信器の受信信号に対して周波数特性改善のための処理を行う複数のイコライザを有し、
上記複数のイコライザは、
認証時には、認証処理系列にかかわるイコライザが動作し、他のイコライザは非動作状態に保持される
請求項１または２記載の電子機器。
【請求項４】
上記受信部は、
認証処理が完了し、後段の処理部に信号出力を開始する際に、
認証期間中に動作状態にあったイコライザが、認証期間中に非動作状態にあったイコライザに対して、イコライズ処理にかかわるパラメータを送信する
請求項３記載の電子機器。
【請求項５】
上記各マルチメディア信号は、
データを伝送する複数の伝送チャネルにより伝送されて上記各受信器で受信され、
上記受信部の上記各イコライザは、
上記各伝送チャネルに対応して配置された複数の第２のイコライザを含み、
上記受信部は、
バックグラウンド認証中は、一部の上記第２のイコライザを動作させて、当該第２のイコライザにより選択されたチャネルの信号に対する処理を行い、
認証が完了し本信号として選択された信号出力時の場合は、全ての第２のイコライザを動作させる
請求項３または４記載の電子機器。
【請求項６】
上記受信部は、
認証期間中に動作状態にあった第２のイコライザが、認証期間中に非動作状態にあった第２のイコライザに対して、イコライズ処理にかかわるパラメータを送信する
請求項５記載の電子機器。
【請求項７】
マルチメディア信号は、
映像規格情報を含み、
上記受信部は、
受信したマルチメディア信号から上記映像規格情報を所得して、認証処理系列と異なる経路により後段の処理部に送信する機能を有する
請求項１から６のいずれか一に記載の電子機器。
【請求項８】
少なくとも非圧縮の映像と音声データ、並びに認証情報を含むマルチメディア信号を送信する複数のソース機器と、
上記各ソース機器から送信される複数のマルチメディア信号を受信する複数の入力ポートを含むシンク機器と、
上記各ソース機器と上記シンク機器の上記各入力ポートとを接続可能で、少なくとも非圧縮の映像と音声データ、並びに認証情報を含んで上記ソース機器から送信された上記マルチメディア信号を上記シンク機器の入力ポートに伝送する複数の通信ケーブルと、を有し、
上記シンク機器は、
上記各通信ケーブルを伝送された複数のマルチメディア信号を受信する受信部を有し、
上記受信部は、
上記複数のマルチメディア信号を受信する複数の受信器と、
上記複数の受信器で受信された受信信号の認証を行う複数の認証回路と、
上記認証回路で認証された信号を後段の処理部に送信する少なくとも一つの送信器と、
上記複数の受信器で受信された受信信号を上記複数の認証回路に選択的に供給する第１のマルチプレクサと、
上記複数の認証回路の出力信号を上記送信器に選択的に供給する第２のマルチプレクサと、を含む
通信システム。
【請求項９】
上記複数の認証回路は、
１つの認証回路は、上記受信器で受信され、現在選択されているマルチメディア信号の認証を行い、残りの認証回路は上記選択されているマルチメディア信号以外の非選択マルチメディア信号に対してバックグラウンドで認証を行う
請求項８記載の通信システム。
【請求項１０】
上記受信部は、
上記各受信器と第１のマルチプレクサとの間に当該受信器の受信信号に対して周波数特性改善のための処理を行う複数のイコライザを有し、
上記複数のイコライザは、
認証時には、認証処理系列にかかわるイコライザが動作し、他のイコライザは非動作状態に保持される
請求項８または９記載の通信システム。
【請求項１１】
上記受信部は、
認証処理が完了し、後段の処理部に信号出力を開始する際に、
認証期間中に動作状態にあったイコライザが、認証期間中に非動作状態にあったイコライザに対して、イコライズ処理にかかわるパラメータを送信する
請求項１０記載の通信システム。
【請求項１２】
上記各マルチメディア信号は、
データを伝送する複数の伝送チャネルにより伝送されて上記各受信器で受信され、
上記受信部の上記各イコライザは、
上記各伝送チャネルに対応して配置された複数の第２のイコライザを含み、
上記受信部は、
バックグラウンド認証中は、一部の上記第２のイコライザを動作させて、当該第２のイコライザにより選択されたチャネルの信号に対する処理を行い、
認証が完了し本信号として選択された信号出力時の場合は、全ての第２のイコライザを動作させる
請求項１０または１１記載の通信システム。
【請求項１３】
上記受信部は、
認証期間中に動作状態にあった第２のイコライザが、認証期間中に非動作状態にあった第２のイコライザに対して、イコライズ処理にかかわるパラメータを送信する
請求項１２記載の通信システム。
【請求項１４】
マルチメディア信号は、
映像規格情報を含み、
上記受信部は、
受信したマルチメディア信号から上記映像規格情報を所得して、認証処理系列と異なる経路により後段の処理部に送信する機能を有する
請求項８から１３のいずれか一に記載の通信システム。
【請求項１５】
少なくとも非圧縮の映像と音声データ、並びに認証情報を含んで伝送される複数のマルチメディア信号を複数の受信する第１のステップと、
上記複数の受信信号を複数の認証回路で認証を第２のステップと、を含み、
上記第２のステップにおいて、
１つの認証回路では、上記受信器で受信され、現在選択されているマルチメディア信号の認証を行い、
残りの認証回路では、上記選択されているマルチメディア信号以外の非選択マルチメディア信号に対してバックグラウンドで認証を行う
通信方法。
【請求項１６】
少なくとも非圧縮の映像と音声データ、並びに認証情報を含んで伝送される複数のマルチメディア信号を複数の受信する第１の処理と、
上記複数の受信信号を複数の認証回路で認証を第２の処理と、を含み、
上記第２の処理において、
１つの認証回路では、上記受信器で受信され、現在選択されているマルチメディア信号の認証を行い、
残りの認証回路では、上記選択されているマルチメディア信号以外の非選択マルチメディア信号に対してバックグラウンドで認証を行う処理
をコンピュータに実行させるプログラム。
【発明の詳細な説明】
【技術分野】
【０００１】
本発明は、非圧縮の画像の画素データを一方向に高速伝送することができる、たとえばＨＤＭＩ（High Definition Multimedia Interface）などの通信インタフェースを有する電子機器、通信システム、通信方法、およびプログラムに関するものである。
【背景技術】
【０００２】
ＨＤＭＩの規格上では、トランスミッタ（Transmitter）機器として機能する機器をソース（Source）機器、レシーバ（Receiver）機器として機能する機器をシンク（Sink）機器と表記する。
【０００３】
ＨＤＭＩソース機器とＨＤＭＩシンク機器は、複数の信号線を含むＨＤＭＩケーブルが接続されるＨＤＭＩコネクタを有している。このＨＤＭＩコネクタはデジタル信号で画像データと音声データを伝送するためのコネクタである。
【０００４】
ＨＤＭＩの仕様書において、ＨＤＭＩについては、画素データと音声データを、高速でＨＤＭＩソース機器からＨＤＭＩシンク機器に、一方向に伝送するＴＭＤＳ(Transition Minimized Differential Signaling)チャネルが規定されている。
また、ＨＤＭＩの仕様書においては、ＨＤＭＩソース機器とＨＤＭＩシンク機器との間で双方向の通信を行うためのＣＥＣライン(Consumer Electronics Control Line)等が、規定されている。
【０００５】
近年、ＤＶＤレコーダやセットトップボックス、その他のＡＶ（Audio Visual）ソースから、テレビジョン受像機、プロジェクタ、その他のディスプレイに対してデジタルテレビジョン信号を高速に伝送する通信インタフェースとして、ＨＤＭＩが普及しつつある。
なお、デジタルテレビジョン信号は、非圧縮（ベースバンド）の画像の画素データと、その画像に付随する音声データとを含む。
【０００６】
最近のＤＶＤ（Digital Versatile Disc）には出力用のＨＤＭＩポートが、テレビジョン受像機などには入力用のＨＤＭＩポートが付属している。
また、パーソナルコンピュータ（以下、ＰＣ）や家庭用ビデオカメラにもテレビジョン受像機に出力するためのＨＤＭＩポートが装備される事例が拡大しつつある。
【０００７】
そして、ＨＤＭＩ入力ポートを複数持つシンク機器として機能するテレビジョン受像機が実用に供されている。
また、複数のＨＤＭＩ入力ポートを持つテレビジョン受像機は、ソース機器であるＤＶＤプレーヤ等の間で、コンテンツの保護のための認証機能、たとえばＨＤＣＰ（High-bandwidth Digital Content Protection system）認証機能を有している。
【０００８】
図１は、複数のＨＤＭＩ入力ポートを有するシンク機器であるテレビジョン受像機側の構成例を示す図である。
【０００９】
図１の構成では、テレビジョン受像機１の入力側に、複数のＨＤＭＩ入力信号を切り替えて出力するスイッチＬＳＩ２を有している。
図１のスイッチＬＳＩ２は、一例として５つの入力ポートＰＴ１〜ＰＴ５を有し、切替部ＳＷ１で入力信号をアナログ的に切り替えている。
テレビジョン受像機１は、スイッチＬＳＩ２で選択された信号を受信する受信部（Ｒｘ）３、および受信信号に応じた信号処理を行う処理部（ＤＳＰ）４を有する。
受信部３は、たとえばＨＤＣＰ認証部５、および認証用の鍵情報等の認証情報６を含んで構成されている。
【発明の概要】
【発明が解決しようとする課題】
【００１０】
図１の構成において、スイッチＬＳＩ２は、認証を行わず、信号をアナログ的に切り替えて後段のＬＳＩへ送信する。
後段の機器であるテレビジョン受像機１の受信部３で認証を再度開始するため、その認証にかかる時間だけ切り替えの完了が遅くなっている。
すなわち、受信部３は、信号の切り替え毎に再認証を行う必要があり、認証にかかる時間だけ切り替えの完了が遅くなっている。
【００１１】
また、認証情報以外にも、後段の機器が前段の機器から送られてくる信号の情報(解像度等)をあらかじめ把握することができず、その認識のための時間だけ切りえ替の完了が遅くなっている。
【００１２】
本発明は、複数のＨＤＭＩ信号の受信側における切り替え時間の短縮を図ることが可能な電子機器、通信システム、通信方法、およびプログラムを提供することにある。
【課題を解決するための手段】
【００１３】
本発明の第１の観点の電子機器は、少なくとも非圧縮の映像と音声データ、並びに認証情報を含んで伝送される複数のマルチメディア信号を受信する受信部を有し、上記受信部は、上記複数のマルチメディア信号を受信する複数の受信器と、上記複数の受信器で受信された受信信号の認証を行う複数の認証回路と、上記認証回路で認証された信号を後段の処理部に送信する少なくとも一つの送信器と、上記複数の受信器で受信された受信信号を上記複数の認証回路に選択的に供給する第１のマルチプレクサと、上記複数の認証回路の出力信号を上記送信器に選択的に供給する第２のマルチプレクサと、を含む。
【００１４】
好適には、上記複数の認証回路は、１つの認証回路は、上記受信器で受信され、現在選択されているマルチメディア信号の認証を行い、残りの認証回路は上記選択されているマルチメディア信号以外の非選択マルチメディア信号に対してバックグラウンドで認証を行う。
【００１５】
本発明の第２の観点の通信システムは、少なくとも非圧縮の映像と音声データ、並びに認証情報を含むマルチメディア信号を送信する複数のソース機器と、上記各ソース機器から送信される複数のマルチメディア信号を受信する複数の入力ポートを含むシンク機器と、上記各ソース機器と上記シンク機器の上記各入力ポートとを接続可能で、少なくとも非圧縮の映像と音声データ、並びに認証情報を含んで上記ソース機器から送信された上記マルチメディア信号を上記シンク機器の入力ポートに伝送する複数の通信ケーブルと、を有し、上記シンク機器は、上記各通信ケーブルを伝送された複数のマルチメディア信号を受信する受信部を有し、上記受信部は、上記複数のマルチメディア信号を受信する複数の受信器と、上記複数の受信器で受信された受信信号の認証を行う複数の認証回路と、上記認証回路で認証された信号を後段の処理部に送信する少なくとも一つの送信器と、上記複数の受信器で受信された受信信号を上記複数の認証回路に選択的に供給する第１のマルチプレクサと、上記複数の認証回路の出力信号を上記送信器に選択的に供給する第２のマルチプレクサと、を含む。
【００１６】
本発明の第３の観点の通信方法は、少なくとも非圧縮の映像と音声データ、並びに認証情報を含んで伝送される複数のマルチメディア信号を複数の受信する第１のステップと、上記複数の受信信号を複数の認証回路で認証を第２のステップと、を含み、上記第２のステップにおいて、１つの認証回路では、上記受信器で受信され、現在選択されているマルチメディア信号の認証を行い、残りの認証回路では、上記選択されているマルチメディア信号以外の非選択マルチメディア信号に対してバックグラウンドで認証を行う。
【００１７】
本発明の第４の観点は、少なくとも非圧縮の映像と音声データ、並びに認証情報を含んで伝送される複数のマルチメディア信号を複数の受信する第１の処理と、上記複数の受信信号を複数の認証回路で認証を第２の処理と、を含み、上記第２の処理において、１つの認証回路では、上記受信器で受信され、現在選択されているマルチメディア信号の認証を行い、残りの認証回路では、上記選択されているマルチメディア信号以外の非選択マルチメディア信号に対してバックグラウンドで認証を行う処理をコンピュータに実行させるプログラムである。
【発明の効果】
【００１８】
本発明によれば、複数のＨＤＭＩ信号の受信側における切り替え時間の短縮を図ることができる。
【図面の簡単な説明】
【００１９】
【図１】複数のＨＤＭＩ入力ポートを有するシンク機器であるテレビジョン受像機側の構成例を示す図である。
【図２】本発明の実施形態に係る通信方法を適用した通信システムの第１の基本構成を示す図である。
【図３】ＨＤＭＩソース機器およびＨＤＭＩシンク機器の構成例を示す図である。
【図４】本発明の実施形態に係るＨＤＭＩシンク機器のＨＤＭＩ信号の切り替えおよび認証処理を行う要部の構成例を示す図である。
【図５】図３の受信部の具体的な構成例を示すブロック図である。
【図６】５入力、１出力で、認証回路が２個の場合の受信部の構成例を示す図である。
【図７】本実施形態に係る受信部の基本概念となるバックグラウンド認証とソース情報の送信について説明するための図である。
【図８】本実施形態に係るイコライザの構成例を示す図である。
【図９】チャネル間におけるイコライザ間でのアナログパラメータの送信処理の一例を示す図である。
【図１０】ポート間におけるイコライザ間でのアナログパラメータの送信処理の一例を示す図である。
【発明を実施するための形態】
【００２０】
以下、本発明の実施の形態を図面に関連付けて説明する。
なお、説明は以下の順序で行う。
１．通信システムの概要
２．ＨＤＭＩの要素技術の説明
３．ＨＤＭＩシンク機器の受信部の構成例
４．チャネル間におけるイコライザ間でのアナログパラメータの送信処理
５．ポート間におけるイコライザ間でのアナログパラメータの送信処理
【００２１】
本実施形態においては、まず通信システム例について説明した後、シンク機器側の具体的な構成例および機能について説明する。
【００２２】
＜１．通信システムの概要＞
図２は、本発明の実施形態に係る通信方法を適用した通信システムの基本構成例を示す図である。
【００２３】
図２に示す本通信システム１００は、画素データと音声データを、高速でＨＤＭＩソース機器からＨＤＭＩシンク機器に、一方向に伝送するＴＭＤＳ(Transition Minimized Differential Signaling)チャネルを含んで構成される。
また、通信システム１００は、１本の通信ケーブル（ＨＤＭＩケーブル）で映像と音声のデータ伝送と接続機器情報の交換および認証、機器制御データの通信、並びにＬＡＮ通信を行うシステムとして構成可能である。
【００２４】
図２の通信システム１００は、レシーバ（Receiver）に相当するＨＤＭＩシンク（Sink）機器１１０、およびＨＤＭＩの規格上でトランスミッタ（Transmitter）に相当する複数のＨＤＭＩソース（Source）機器１２０−１〜１２０−ｋを有する。
通信システム１００は、ＨＤＭＩシンク機器１１０と複数のＨＤＭＩソース機器１２０−１〜１２０−ｋ間の通信ケーブルである複数のＨＤＭＩケーブル１３０−１〜１３０−ｋを有する。
すなわち、図２の通信システム１００においては、一つのＨＤＭＩシンク機器１１０に複数のＨＤＭＩソース機器１２０−１〜１２０−ｋが、ＨＤＭＩケーブル１３０−１〜１３０−ｋにより接続されている。
【００２５】
ＨＭＤＩシンク機器１１０として機能する電子機器としては、モニターやプロジェクタ等を含む映像表示装置であるテレビジョン受像機（ＴＶ）等を例示することができる。
ＨＤＭＩソース機器１２０−１〜１２０−ｋとして機能する電子機器としては、映像を出力する映像出力装置である、ＤＶＤプレーヤ、ＤＶレコーダ、ＢＤプレーヤ、ＣＳチューナ等を例示することができる。
【００２６】
本実施形態のＨＤＭＩシンク機器１１０、たとえばＴＶは、ＨＤＭＩケーブル１３０−１〜１３０−ｋが接続されるｋ個の入力ポートＩＰＴ１〜ＩＰＴｋを有する。
ＨＤＭＩシンク機器１１０は、後述するように、ＨＤＭＩ信号に対する受信、認証処理等を行うＬＳＩである受信部を有する。
この受信部（ＬＳＩ）は、ｋ個のＨＤＭＩ信号を受信するｋ個の受信器（レシーバ）、ｋ個のイコライザ、およびｎ個のＨＤＣＰ認証回路(以下、認証回路)が混載される。さらに受信部には、ＨＤＭＩ信号を選択するマルチプレクサ、および選択されたＨＤＭＩ信号を送信するｍ個の送信器（トランスミッタ）が混載される。
この受信部が受信するｋ個のＨＤＭＩ信号がマルチメディア信号に相当する。
以下の説明では、ＨＤＭＩ規格上でＨＤＭＩシンク機器のレシーバとする呼称と同様となるが、ｋ個の受信器をレシーバとする。また、ＨＤＭＩ規格上でＨＤＭＩソース機器のトランスミッタとする呼称と同様となるが、ｍ個の送信器はトランスミッタとする。
ＨＤＭＩシンク機器１１０の受信部は、認証回路を複数個持ち、１個は現在選択されているＨＤＭＩ信号の認証（Authentication）に、残りの回路はそれ以外のＨＤＭＩ信号全てに対してバックグラウンドで認証を行う機能を有する。
本受信部（ＬＳＩ）は前段のＨＤＭＩソース機器から送信される解像度などのソース情報（映像規格情報）をあらかじめ取得し、後段の機器（ＤＳＰ等の処理部）に送信する機能を有する。
本受信部は、受信器（レシーバ）に内蔵されている周波数特性改善のためのイコライザにおいて、認証時には部分的に動作させる機能を有している。
また、受信部は、認証が完了し、後段の機器への信号出力を開始する際に認証期間中に動作していなかったイコライザに対して、動作していたイコライザからアナログパラメータを送信する機能を有する。
【００２７】
＜２．ＨＤＭＩの要素技術の説明＞
ここで、本実施形態に係る特徴的な上記機能を実現するためのＨＤＭＩの要素技術について図２の基本構成に対応付けて説明する。
本実施形態の通信システム１００においては、上述したように、一つのＨＤＭＩシンク機器１１０に複数のＨＤＭＩソース機器１２０−１〜１２０−ｋが、ＨＤＭＩケーブル１３０−１〜１３０−ｋにより接続される。
ここでは、ＨＤＭＩソース機器１２０とＨＤＭＩシンク機器１１０とが、１本のＨＤＭＩケーブル１３０で接続される場合を例として説明するが、本実施形態の通信システム１００のように、さらに複数のＨＤＭＩケーブルが接続される場合も同様の構成となる。
すなわち、本実施形態の通信システム１００のＨＤＭＩシンク機器１１０は、以下に説明するＨＤＭＩシンク機器の構成を、ｋ組有することになる。
【００２８】
図３は、ＨＤＭＩソース機器およびＨＤＭＩシンク機器の構成例を示す図である。
図３は、ＨＤＭＩケーブル１３０により互いに接続された電子機器のそれぞれに内蔵されたＨＤＭＩソース機器１２０およびＨＤＭＩシンク機器１１０、たとえばＤＶＤプレーヤ内に設けられたＨＤＭＩソース機器１２０の構成例を示している。
さらに、図３は、デジタルテレビジョン受像機（ＴＶ）内に設けられたＨＤＭＩシンク機器１１０の構成例を示している。
【００２９】
基本的に、ＨＤＭＩソース機器１２０とＨＤＭＩシンク機器１１０とは、１本のＨＤＭＩケーブル１３０で接続される。
ＨＤＭＩソース機器１２０およびＨＤＭＩシンク機器１１０は、現行のＨＤＭＩとの互換性を保ちながら、ＨＤＭＩケーブル１３０を利用して、双方向のＩＰ通信を行うことができる。
【００３０】
ＨＤＭＩソース機器１２０は、１の垂直同期信号から次の垂直同期信号までの区間から、水平帰線区間および垂直帰線区間を除いた区間である有効画像区間（以下、適宜、アクティブビデオ区間ともいう）において、差動信号を送信する。
すなわち、ＨＤＭＩソース機器１２０は、アクティブビデオ区間において、非圧縮の１画面分の画像の画素データに対応する差動信号を、複数のチャネルで、ＨＤＭＩシンク機器１１０に一方向に送信する。
ＨＤＭＩソース機器１２０は、水平帰線区間または垂直帰線区間において、少なくとも画像に付随する音声データや制御データ、その他の補助データ等に対応する差動信号を、複数のチャネルで、ＨＤＭＩシンク機器１１０に一方向に送信する。
【００３１】
すなわち、ＨＤＭＩソース機器１２０は、トランスミッタ１２１を有する。
トランスミッタ１２１は、たとえば、非圧縮の画像の画素データを対応する差動信号に変換する。
そして、トランスミッタ１２１は、複数のチャネルである３つのＴＭＤＳチャネル＃０，＃１，＃２で、ＨＤＭＩケーブル１３０を介して接続されているＨＤＭＩシンク機器１１０に、一方向にシリアル伝送する。
【００３２】
また、トランスミッタ１２１は、非圧縮の画像に付随する音声データ、さらには、必要な制御データその他の補助データ等を、対応する差動信号に変換する。
トランスミッタ１２１は、３つのＴＭＤＳチャネル＃０，＃１，＃２でＨＤＭＩケーブル１３０を介して接続されているＨＤＭＩシンク機器１１０に、一方向にシリアル伝送する。
【００３３】
さらに、トランスミッタ１２１は、３つのＴＭＤＳチャネル＃０，＃１，＃２で送信する画素データに同期したピクセルクロックを、ＴＭＤＳクロックチャネルで、ＨＤＭＩケーブル１３０を介して接続されているＨＤＭＩシンク機器１１０に送信する。
ここで、１つのＴＭＤＳチャネル＃ｉ（ｉ=０，１，２）では、ピクセルクロックの１クロックの間に、１０ビットの画素データが送信される。
【００３４】
ＨＤＭＩシンク機器１１０は、アクティブビデオ区間において、複数のチャネルで、ＨＤＭＩソース機器１２０から一方向に送信されてくる、画素データに対応する差動信号を受信する。
ＨＤＭＩシンク機器１１０は、水平帰線区間または垂直帰線区間において、複数のチャネルで、ＨＤＭＩソース機器１２０から一方向に送信されてくる、音声データや制御データに対応する差動信号を受信する。
【００３５】
ＨＤＭＩシンク機器１１０は、レシーバ１１１を有する。
レシーバ１１１は、ＴＭＤＳチャネル＃０，＃１，＃２で、ＨＤＭＩケーブル１３０を介して接続されているＨＤＭＩソース機器１２０から一方向に送信されてくる差動信号を受信する。
レシーバ１１１は、画素データに対応する差動信号と、音声データや制御データに対応する差動信号を、同じくＨＤＭＩソース機器１２０からＴＭＤＳクロックチャネルで送信されてくるピクセルクロックに同期して受信する。
【００３６】
ＨＤＭＩソース機器１２０とＨＤＭＩシンク機器１１０とからなるＨＤＭＩシステムの伝送チャネルには、以下のチャネルを含む。
伝送チャネルは、ＨＤＭＩソース機器１２０からＨＤＭＩシンク機器１１０に対して、画素データおよび音声データを、ピクセルクロックに同期して、一方向にシリアル伝送するための伝送チャネルとしての３つのＴＭＤＳチャネル＃０から＃２を含む。
伝送チャネルは、ピクセルクロックを伝送する伝送チャネルとしてのＴＭＤＳクロックチャネルを含む。
これらの他に、伝送チャネルには、ＤＤＣ（Display Data Channel）２００やＣＥＣ(Consumer Electronic Control)ライン３００と呼ばれる伝送チャネルがある。
【００３７】
ＤＤＣ２００は、ＨＤＭＩケーブル１３０に含まれる図示しない２本の信号線により形成される。
ＤＤＣ２００は、ＨＤＭＩソース機器１２０が、ＨＤＭＩケーブル１３０を介して接続されたＨＤＭＩシンク機器１１０から、Ｅ-ＥＤＩＤ（Enhanced Extended Display Identification Data）を読み出すために使用される。
【００３８】
すなわち、ＨＤＭＩシンク機器１１０は、レシーバ１１１の他に自身の設定や性能に関する情報であるＥ-ＥＤＩＤを記憶しているＥＤＩＤＲＯＭ（EDID ROM（Read Only Memory））１１２を有している。
ＨＤＭＩソース機器１２０は、ＨＤＭＩケーブル１３０を介して接続されているＨＤＭＩシンク機器１１０から、そのＨＤＭＩシンク機器１１０のＥＤＩＤＲＯＭ１１２が記憶しているＥ-ＥＤＩＤを、ＤＤＣ２００を介して読み出する。
ＨＤＭＩソース機器１２０は、そのＥ-ＥＤＩＤ情報に基づき、ＨＤＭＩシンク１１０の設定や性能、たとえばＨＤＭＩシンク機器１１０（を有する電子機器）が対応している画像のフォーマット（プロファイル）を認識する。
たとえば画像のフォーマットとして、ＲＧＢ（Red, Green, Blue）の、ＹＣｂＣｒ４:４:４，ＹＣｂＣｒ４:２:２などが認識される。
【００３９】
なお、図示していないが、ＨＤＭＩソース機器１２０もＨＤＭＩシンク機器１１０と同様に、Ｅ-ＥＤＩＤ情報を記憶し、必要に応じてそのＥ-ＥＤＩＤに書かれているフォーマット情報をＨＤＭＩシンク機器１１０に出力することができる。
【００４０】
以上、本実施形態に係る特徴的な上記機能を実現するためのＨＤＭＩの要素技術について説明した。
次に、本実施形態に係るＨＤＭＩ信号入力を複数持つＨＤＭＩシンク機器１１０において、ＨＤＭＩ信号の切り替え時間を大幅に短縮する具体的な構成ついて説明する。
【００４１】
＜３．ＨＤＭＩシンク機器の受信部の構成例＞
図４は、本発明の実施形態に係るＨＤＭＩシンク機器のＨＤＭＩ信号の切り替えおよび認証処理を行う要部の構成例を示す図である。
【００４２】
図４は、本実施形態に係るＨＤＭＩシンク機器１１０がＴＶ４００に搭載された使用例を示す。
ＴＶ４００は、ＨＤＭＩシンク機器１１０の受信部４１０および信号処理部としてのＤＳＰ４２０を有する。
受信部４１０は、図３に関連付けて説明したレシーバ１１１の機能を含んで構成される。
【００４３】
受信部４１０は、入力ポートＩＰＴ０〜ＩＰＴk-1、信号切り替え部４１１、認証制御回路４１２、認証情報保持部４１３、およびトランスミッタ４１４を有する。
ＤＳＰ４２０は、受信部４１０のトランスミッタ４１４から送信されるＨＤＭＩ信号を受信するレシーバ４２１を含んで構成される。
【００４４】
図４の構成において、入力ポートＩＰＴ０〜ＩＰＴk-1までのＨＤＭＩ信号のうち１つが信号切り替え部４１１で選択され、ＴＶ用のＤＳＰ４２０へと送信される。
受信部４１０においては、認証制御回路４１２の制御の下、選択されていない残りの（k-1）個の信号に関してはバックグラウンドで認証を行う。このため、選択された際に再び認証を開始する必要はなく、切り替え時間が短縮される。
【００４５】
図５は、図３の受信部の具体的な構成例を示すブロック図である。
この受信部４１０は、ｋ個のＨＤＭＩ信号を受信するｋ個のレシーバ（Ｒｘ ０〜Ｒｘ k-1）４３１−０〜４３１−k-1、およびｋ個のイコライザ（ＥＱ ０〜ＥＱ k-1）４３２−１〜４３２−k-1を有する。
受信部４１０は、ｎ個の認証回路（ＡＵＴＨ ０〜ＡＵＴＨ n-1）４３３−１〜４３３−n-1を有する。
受信部４１０は、イコライザ４３２−１〜４３２−k-1を介したＨＤＭＩ信号をｎ個の認証回路４３３−１〜４３３−n-1のいずれかに選択的に供給する第１のマルチプレクサ（ＭＵＸ１）４３４を有する。
受信部４１は、選択されたＨＤＭＩ信号を送信するｍ個のトランスミッタ（Ｔｘ ０〜Ｔｘ m-1）４３５−１〜４３５−m-1を有する。
受信部４１０は、認証回路４３３−１〜４３３−n-1の出力信号を、トランスミッタ（Ｔｘ ０〜Ｔｘ m-1）４３５−１〜４３５−m-1のいずれかに選択的に供給する第２のマルチプレクサ（ＭＵＸ２）４３６を有する。
【００４６】
図５の受信部４１０において、ｋ個のレシーバ４３１−０〜４３１−k-1、およびｋ個のイコライザ４３２−１〜４３２−k-1、第１のマルチプレクサ４３４、および第２のマルチプレクサ４３６により図４の信号切り替え部４１１が形成される。
認証回路４３３−１〜４３３−n-1は、図４の認証制御回路４１２および認証情報保持部４１３の機能を含んで形成される。
【００４７】
受信部４１０は、複数の認証回路４３３−１〜４３３−n-1を有し、認証回路の一つは、認証制御回路４１２の機能の下、１個は現在選択されているＨＤＭＩ信号の認証に、残りの回路はそれ以外のＨＤＭＩ信号全てに対してバックグラウンドで認証を行う。
受信部４１０は、ＨＤＭＩソース機器１２０から送信される解像度などのソース情報（映像規格情報）をあらかじめ取得し、後段の処理部であるＤＳＰ４２０等に送信する機能を有する。
受信部４１０は、レシーバ４３１−０〜４３１−k-1に対応して配置されている周波数特性改善のためのイコライザ４３２−０〜４３２−k-1において、認証時には部分的に動作させる機能を有している。
また、受信部４１０は、認証が完了し、後段のＤＳＰ４２０への信号出力を開始する際に認証期間中に動作していなかったイコライザに対して、動作していたイコライザからアナログパラメータを送信する機能を有する。
【００４８】
このような構成および機能を有する受信部４１０において、ＨＤＭＩソース機器１２０−１〜１２０−ｋから送信されたＨＤＭＩ信号は、ｋ個のレシーバ４３１−０〜４３１−k-1で受信される。
受信したｋ個のＨＤＭＩ信号は、後段のｋ個のイコライザ４３２−０〜４３２−k-1へ送信され、ここで周波数特性が改善される。
図５の例では、ｎ個の認証回路４３３−１〜４３３−n-1が内蔵されており、ｎ個のうちのｘ（ｘ＜ｎ）個の認証回路は、現在選択されている信号の認証に割り当てられ、残りの（ｎ−ｘ）個の認証回路は選択されていない信号の認証をバックグラウンドで行う。
ｋ個の信号から認証ブロックとバックグラウンド認証ブロックへの入力の選択は第１のマルチプレクサ４３４にて行われる。
また、認証済みの信号の選択は第２のマルチプレクサ４３６で行われる。
第２のマルチプレクサ４３６で選択された信号はｍ個のトランスミッタ４３５−１〜４３５−m-1から後段のＤＳＰ４２０に送信される。
【００４９】
図６は、５入力、１出力で、認証回路が２個の場合の受信部の構成例を示す図である。
【００５０】
図６の受信部４１０Ａは、５入力ＨＤＭＩ_ＩＮ_０〜ＨＤＭＩ_ＩＮ_4、１出力ＨＤＭＩ_ＯＵＴ_0、２個の認証回路４３３−０、４３３−１を有する。
この場合、５個のレシーバ４３１−０〜４３１−４、および５個のイコライザ４３２−０〜４３２−４を含んで構成される。
図６の構成においては、ＨＤＭＩソース機器１２０−１〜１２０−５から送信されたＨＤＭＩ信号は、５個のレシーバ４３１−０〜４３１−４で受信される。
受信した５のＨＤＭＩ信号は、後段の５個のイコライザ４３２−０〜４３２−４へ送信され、ここで周波数特性が改善される。
図６の例では、２個の認証回路４３３−０および４３２−１が内蔵されている。そしてＭ、２個のうちの、たとえば認証回路４３３−０は現在選択されている信号の認証に割り当てられ、残りの認証回路４３３−１は選択されていない信号の認証をバックグラウンドで行う。
５個の信号から認証ブロックとバックグラウンド認証ブロックへの入力の選択は第１のマルチプレクサ４３４にて行われる。
また、認証済みの信号の選択は第２のマルチプレクサ４３６にて行われる。
第２のマルチプレクサ４３６で選択された信号はトランスミッタ４３５−０から後段のＤＳＰ４２０に送信される。
【００５１】
次に、本実施形態に係る受信部４１０の基本概念となるバックグラウンド認証とソース情報の送信について説明する。
図７は、本実施形態に係る受信部４１０の基本概念となるバックグラウンド認証とソース情報の送信について説明するための図である。
【００５２】
図７において、４３７はレシーバおよびイコライザを含んでブロックとして示すレシーバブロックを、４３８はデコーダを、４３９はソース情報を保持するレジスタを、４４０は外部インタフェース（Ｉ／Ｆ）をそれぞれ示している。
また、図６において、４４１は選択された認証回路を、４４２は非選択の認証回路をそれぞれ示している。
【００５３】
レシーバブロック４３７で受信したＨＤＭＩ信号は、後段のＤＳＰ４２０により、選択すべき信号と非選択の信号に分離される。
選択された信号は、認証回路４４１（たとえばＡＵＴＨ_０）で認証演算処理が行われた後、トランスミッタ４３５により後段のＤＳＰ４２０に送信される。
このとき並行して、非選択の信号に対して認証回路４４２（たとえばＡＵＴＨ_１〜ＡＵＴＨ_n-1）において、信号が選択されるまで認証演算が繰り返される。
後段のＤＳＰ４２０による選択信号により認証回路の選択、非選択が切り替えられる。
また、デコーダ４３８においては、レシーバブロック４３７から供給されるＨＤＭＩ信号から、解像度などのソース情報が読み出され、このソース情報ＩＳＲＳがレジスタ４３９に保持される。
そして、レジスタ４３９に保持されたソース情報ＩＳＲＳは外部Ｉ／Ｆ４４０を介して後段のＤＳＰ４２０に送信される。
【００５４】
次に、受信部４１０において、認証が完了し、後段のＤＳＰ４２０への信号出力を開始する際に認証期間中に動作していなかったイコライザに対して、動作していたイコライザからアナログパラメータを送信する機能についてより詳細に説明する。
【００５５】
図８は、本実施形態に係るイコライザの構成例を示す図である。
【００５６】
イコライザ（ＥＱ）４４０は、各ＨＤＭＩ信号を構成している差動信号の１ペアに１個内蔵される。
イコライザ４４０は大きく２個のブロックから構成される。
図８のイコライザ（ＥＱ）４５０は、ハイパスフィルタ４５１、およびＡＧＣ（Active Gain Control)部４５２により構成される。
各伝送チャネルの差動信号ＴＭＤＳ Ｐ、ＴＭＤＳ Ｎ信号のＤＣ成分がハイパスフィルタ４５１により除去される。
またＡＧＣ部４５２では入力される信号の状態によってゲインの調整を行う。
ゲイン情報は他の信号が選択された際に、その信号を処理するイコライザ４５０へと送信される。
本実施形態においては、認証中に選択された信号を処理するイコライザ４５０から次に選択された信号を処理するイコライザに、ゲイン等のアナログパラメータが信号Ｓ４５０として送信される。
【００５７】
＜４．チャネル間におけるイコライザ間でのアナログパラメータの送信処理＞
図９（Ａ）および（Ｂ）は、チャネル間におけるイコライザ間でのアナログパラメータの送信処理の一例を示す図である。
【００５８】
図５のイコライザ４３３−０〜４３３−k-１は、全ての伝送チャネル＃０，＃１，＃２およびクロックチャネルを伝送される信号ＴＭＤＳ ０，ＴＭＤＳ １，ＴＭＤＳ ２，ＣＬＫをイコライズする第２のイコライザ４３３１〜４３３４を含む。
バックグラウンド認証中は、全ての伝送チャネル＃０，＃１，＃２を伝送された信号ＴＭＤＳ ０，ＴＭＤＳ １，ＴＭＤＳ ２に対してイコライザを動作させる必要はないため、２本の信号ＴＭＤＳ ０，ＣＬＫのイコライザ４３３１，４３３４のみを動作させる。
図９（Ａ）では、信号ＴＭＤＳ ０が選択されていることから、イコライザ４３３１（ＥＱ ０ ０）とクロックＣＬＫを処理するイコライザ４３３４（ＥＱ ０ ３）が動作状態に保持される。
非選択の信号ＴＭＤＳ １、ＴＭＤＳ ２を処理するイコライザ４３３２，４３３３（ＥＱ ０ １、ＥＱ ０ ２）は非動作状態に保持される。
【００５９】
認証が完了し本信号として選択された信号出力時の場合は、全てのイコライザ４３３１〜４３３４（ＥＱ ０ ０〜ＥＱ ０ ３）を動作させる。
このとき認証時にも動作していたイコライザ４３３１，４３３４から動作していなかったイコライザ４３３２，４３３３に対して、ゲイン情報、ＶＣＯのクロック周波数情報、data0のレーンスキュー情報が送信される。
図９（Ｂ）の例では、イコライザ４３３１（ＥＱ ０ ０）から隣接するイコライザ４３３１（ＥＱ ０ １）に対して、ゲイン情報、ＶＣＯのクロック周波数情報、data0のレーンスキュー情報が送信される。
イコライザ４３３４（ＥＱ ０ ３）から隣接するイコライザ４３３３（ＥＱ ０ ２）に対して、ゲイン情報、ＶＣＯのクロック周波数情報、data0のレーンスキュー情報が送信される。
【００６０】
図１０は、ポート間におけるイコライザ間でのアナログパラメータの送信処理の一例を示す図である。
【００６１】
図１０は、入力ポートＩＰＴ０からの信号ＨＤＭＩ ０が選択されてイコライザ４３１−０（ＥＱ ０）で処理が行われ、続いて入力ポートＯＰＴ１からのＨＤＭＩ １が選択されてイコライザ４３１−１（ＥＱ １）で処理が行われ場合を示している。
この場合、イコライザ４３１−０（ＥＱ ０）から隣接するイコライザ４３１−１（ＥＱ １）に対して、ゲイン情報、ＶＣＯのクロック周波数情報、ＤＬＬ data0のレーンスキュー情報が送信される。
【００６２】
以上説明したように、本実施形態によれば、受信部４１０は、複数の認証回路４３３−１〜４３３−n-1を有する。
受信部４１０において、認証回路の一つは、認証制御回路４１２の機能の下、１個は現在選択されているＨＤＭＩ信号の認証に、残りの回路はそれ以外のＨＤＭＩ信号全てに対してバックグラウンドで認証を行う。
受信部４１０は、ＨＤＭＩソース機器１２０から送信される解像度などのソース情報（映像規格情報）をあらかじめ取得し、後段の処理部であるＤＳＰ４２０等に送信する機能を有する。
受信部４１０は、レシーバ４３１−０〜４３１−k-1に対応して配置されている周波数特性改善のためのイコライザ４３２−０〜４３２−k-1において、認証時には部分的に動作させる機能を有している。
また、受信部４１０は、認証が完了し、後段のＤＳＰ４２０への信号出力を開始する際に認証期間中に動作していなかったイコライザに対して、動作していたイコライザからアナログパラメータを送信する機能を有する。
【００６３】
したがって、本実施形態によれば、以下の効果を得ることができる。
機器間の認証に用いる回路を複数個内蔵し、選択されていないＨＤＭＩ信号の認証を切替前に完了することにより切り替え時間の短縮を実現する。
また信号切り替え時に、イコライザ間でアナログパラメータを引き継ぐことにより、アナログ品質の維持と共に切り替え時間の短縮を実現する。
更には認証用回路の内蔵を全ての入力ポートに対してではなく、限定して内蔵することによりＬＳＩ面積・消費電力の削減を実現している。
【００６４】
なお、以上詳細に説明した方法は、上記手順に応じたプログラムとして形成し、ＣＰＵ等のコンピュータで実行するように構成することも可能である。
また、このようなプログラムは、半導体メモリ、磁気ディスク、光ディスク、フロッピー（登録商標）ディスク等の記録媒体、この記録媒体をセットしたコンピュータによりアクセスし上記プログラムを実行するように構成可能である。
【符号の説明】
【００６５】
１００・・・通信システム、１１０・・・ＨＤＭＩシンク機器、１２０−１〜１２０−ｋ・・・ＨＤＭＩソース機器、１３０−１〜１３０−ｋ・・・ＨＤＭＩケーブル、４００・・・ＴＶ、４１０・・・受信部、ＩＰＴ０〜ＩＰＴk-1・・・入力ポート、４１１・・・信号切り替え部、４１２・・・認証制御回路、４１３・・・認証情報保持部、４１４・・・トランスミッタ、４３１−０〜４３１−k-1（Ｒｘ ０〜Ｒｘ k-1）・・・レシーバ、４３２−０〜４３２−k-1（ＥＱ ０〜ＥＱ k-1）・・・イコライザ、４３３−０〜４３１３−n-1（ＡＵＴＨ ０〜ＡＵＴＨ n-1）・・・認証回路、４３４（ＭＵＸ１）・・・第１のマルチプレクサ、４３５−０〜４３５−m-1（Ｔｘ ０〜Ｔｘ m-1）・・・トランスミッタ、４３０・・・ＤＳＰ（信号処理部）、４３６（ＭＵＸ２）・・・第２のマルチプレクサ。
【図１】
2011010032.tif 000003
【図２】
2011010032.tif 000004
【図３】
2011010032.tif 000005
【図４】
2011010032.tif 000006
【図５】
2011010032.tif 000007
【図６】
2011010032.tif 000008
【図７】
2011010032.tif 000009
【図８】
2011010032.tif 000010
【図９】
2011010032.tif 000011
【図１０】
2011010032.tif 000012